(57)【要約】      （修正有）【課題】授乳時の露出部分を小さくし、かつ母体に快適な授乳用インナーウェア及びアウターウェアを提供すること。また、授乳服を着用しても外出できるように、一見して授乳服とは認識されにくく、経済的な授乳用インナーウェア及びアウターウェアを提供する。【解決手段】授乳用インナーウェア１の両脇にスリット１４ａを設け、着用時に、アウターウェア２の襟ぐり２１部分から前身頃のみを引き出せるようにした。この場合、アウターウェア２の襟ぐり２１の下端部は、スリット１４ａの上端よりも低い位置になるように形成される。【選択図】図２
0003148457.tif 000002
【実用新案登録請求の範囲】
【請求項１】
前身頃と、前記前身頃の一部分と連続する後身頃と、着用時に身体の側面となる位置に、裾まで達するように縦方向に形成されたスリット部と、を備える授乳用インナーウェア。
【請求項２】
前記スリット部は、前記身体の側面において両側に設けられている、請求項１に記載の授乳用インナーウェア。
【請求項３】
前記スリット部において、前記前身頃と前記後身頃とを着脱可能に固定する留め部と、を備える、請求項１又は２に記載の授乳用インナーウェア。
【請求項４】
襟ぐり部の下端が、前記スリット部の上端の位置と同じ又は前記上端の位置より下方に位置する、請求項１から３のいずれかに記載の授乳用インナーウェアを備えるアウターウェア。
【請求項５】
前記襟ぐり部は、伸縮可能である、請求項４に記載のアウターウェア。
【考案の詳細な説明】
【技術分野】
【０００１】
本考案は、授乳服に関するものである。
【背景技術】
【０００２】
授乳期間中の女性は、一日のうち、頻繁に乳児に母乳を与える必要がある。外出中においてもそれは同様であり人目につく場所で授乳しなければならないような場合もある。その際、肌を大きく露出させると、他人の好奇の目に晒されることになる。このため、授乳時に母親の心理的抵抗が大きく、乳児が望むときに常に授乳することは困難が伴うものであった。また、授乳時に肌を大きく露出させることにより母体が冷えてしまい、特に冬のような寒い時期等は健康を損なう原因にも成り得るものであった。さらには、授乳服は授乳時に母乳等で汚れやすく頻繁に交換して洗濯する必要があるにもかかわらず、授乳期は比較的短期間であるため、相当数の専用の授乳服を揃えるには経済的負担が大きく、かつ無駄も大きくなることがあった。
【０００３】
そこで、露出部分を小さくしつつ、経済的で母体に快適な授乳服が求められている。例えば、以下のような授乳服が提案されている。
【０００４】
例えば、前身頃において、乳房に当たる部分にスリットを設け、乳房部分のみをスリットから露出して授乳できるような授乳服がある。このような授乳服は、外見上明らかに授乳服であると認識できるので、着用して外出するには心理的抵抗が生じる。
【０００５】
また、襟元が胸元まで大きく開いた襟の間に当て布をあてがい、授乳時には当て布を引き出して襟と当て布との間から授乳するタイプの授乳服が提案されている。このようなタイプの授乳服は、屈んだ姿勢になった場合、襟ぐり部分が下方向に垂れ下がるのにつられて当て布もたるんでしまい、隙間から胸元が見えてしまうという問題があった。また、当て布のみを取り外しできるようになっている物もある。このようなものは、授乳時のよだれや母乳で汚れやすい当て布のみを取り外して洗濯できる反面、当て布を固定するためにスナップや面ファスナー等を授乳服本体に取り付けなければならない。このため、専用の授乳服本体と当て布とを常にセットで使用しなければならず、汎用性が無い。
【０００６】
さらには、前身頃を２枚重ねに固定し、上側の布をたくし上げて授乳するタイプのものが提案されている。このようなタイプの授乳服は、身体の前側に横方向のスリットが入っており、外見上授乳服であることが認識されやすい。また、夏のような暑い時期等には２枚に重ねて固定されていることにより、蒸れたり暑苦しく感じられるという問題がある。
【考案の開示】
【考案が解決しようとする課題】
【０００７】
本考案は、上述のような問題点を解決するため、授乳時の露出部分を小さくし、かつ母体に快適な授乳用インナーウェア及びアウターウェアを提供することを目的とする。また、本考案は、授乳服を着用しても外出できるように、一見して授乳服とは認識されにくく、経済的な授乳用インナーウェア及びアウターウェアを提供することを目的する。
【課題を解決するための手段】
【０００８】
本考案では、以下のような解決手段を提供する。
【０００９】
（１）前身頃と、前記前身頃の一部分と連続する後身頃と、着用時に身体の側面となる位置に、裾まで達するように縦方向に形成されたスリット部と、を備える授乳用インナーウェア。
【００１０】
（２）前記スリット部は、前記身体の側面において両側に設けられている（１）に記載の授乳用インナーウェア。
【００１１】
（３）前記スリット部において、前記前身頃と前記後身頃とを着脱可能に固定する留め部と、を備える、（１）又は（２）に記載の授乳用インナーウェア。
【００１２】
（４）襟ぐり部の下端が、前記スリット部の上端の位置と同じ又は前記上端の位置より下方に位置する、（１）から（３）のいずれかに記載の授乳用インナーウェアを備えるアウターウェア。
【００１３】
（５）前記襟ぐり部は、伸縮可能である（４）に記載のアウターウェア。
【考案の効果】
【００１４】
本考案によれば、露出部分を小さくし、かつ母体に快適な授乳用インナーウェア及びアウターウェアを提供することができる。また、本考案によれば、授乳服を着用しても外出できるように、一見して授乳服とは認識されにくい授乳用インナーウェア及びアウターウェアを提供することができる。
【考案を実施するための最良の形態】
【００１５】
以下、本考案の実施形態について図を参照しながら説明する。
【００１６】
図１は、授乳用インナーウェア１を示す全体図である。図２は、授乳用インナーウェア１とアウターウェア２とを組み合わせた場合の正面図である。図３から図６は、授乳時における授乳用インナーウェア１とアウターウェア２の使用状態を示した図である。
【００１７】
図１を参照して、授乳用インナーウェア１の説明をする。授乳用インナーウェア１は、前身頃１１と後身頃１２とから構成され、授乳用インナーウェア１には、袖口１３ａ，１３ｂ、スリット１４ａ，１４ｂ、襟ぐり１５、縫着部１６ａ，１６ｂが設けられている。
【００１８】
前身頃１１と後身頃１２とは、本実施形態においては、肩部分と袖口１３ａ，１３ｂの下側部分でそれぞれ縫着されており、全体として筒状になるように形成され、身体の上半身を覆うように形成されている。また、前身頃１１は、少なくとも乳房を覆う程度の長さとなるように形成されることが好ましい。
【００１９】
スリット１４ａ，１４ｂは、本実施形態では、袖口１３ａ，１３ｂの下側であって、前身頃１１と後身頃１２との縫着線上に設けられている。すなわち、袖口１３ａ，１３ｂの下側においては、前身頃１１と後身頃１２とは、縫合線上の一部分のみで縫着されており、その部分が縫着部１６ａ，１６ｂとなる。また、スリット１４ａ，１４ｂは、その下端が授乳用インナーウェア１の裾まで達するように、縦方向に形成されている。
【００２０】
また、スリット１４ａ，１４ｂは、それぞれ、授乳用インナーウェア１の左右に設けられている。そして、前身頃１１の上側と後身頃１２の上側とを縫合する縫着部１６ａ，１６ｂより下の部分は、スリット１４ａ，１４ｂにより、前身頃１１の下側と後身頃１２の下側とが互いに分離されている。
【００２１】
授乳用インナーウェア１の襟ぐり１５は、任意の形状であってよい。本実施形態においては、いわゆるＵ字状の形状となっている。その他、Ｖ字状、タートルネック等の任意の形状に形成することができる。
【００２２】
図２を参照して、アウターウェア２及び授乳用インナーウェア１とアウターウェア２との組み合わせについての説明をする。
【００２３】
アウターウェア２は、授乳用インナーウェア１と組み合わせて着用される。アウターウェア２は、その襟ぐり２１から授乳用インナーウェア１の一部分が露出するように、授乳用インナーウェア１の上に重ねて着用される。
【００２４】
アウターウェア２は、少なくとも襟ぐり２１が深く切り込んだように形成される。襟ぐり２１は、授乳時に乳房を出しやすい程度の深さになるように形成されることが好ましい。詳細には、少なくとも着用時に乳房の位置まで襟ぐり２１の下端部があることが好ましい。
【００２５】
アウターウェア２は、上述のように、襟ぐり２１の深さが乳房を出しやすいような深さであれば特に限定されない。本実施形態では、アウターウェア２は、襟ぐり２１の深いワンピース状となっている。また、本実施形態のアウターウェア２は、いわゆるＶ字状の襟ぐり形状となっているが、Ｕ字状やいわゆるカシュクールタイプであってもよい。
【００２６】
この襟ぐり２１は伸縮性があることが好ましい。例えば弾性部材を襟ぐり２１の周縁に配置し、襟ぐり２１部分の布地にギャザーを寄せて伸びしろを作成する。これにより、襟ぐり２１部分が延びて垂れ下がるようなことを防止することができる。若しくは、襟ぐり２１に配置する布地自体に伸縮性のあるものを配置するようにしてもよい。
【００２７】
また、襟ぐり２１は、授乳用インナーウェア１と組み合わせた場合に、授乳用インナーウェア１のスリット１４ａ，１４ｂと好適な関係を有することが好ましい。すなわち、授乳用インナーウェア１とアウターウェア２とを組み合わせた場合に、襟ぐり２１の下端部が、スリット１４ａ，１４ｂの上端部と同じ高さの位置又はスリット１４ａ，１４ｂの上端部よりも低い位置となることが好ましい。
【００２８】
また、授乳用インナーウェア１の前身頃１１は、前身頃１１の下端部がアウターウェア２の襟ぐり２１の下端部よりも下方に位置する長さとなるように形成される。これにより、授乳を行わない通常時において、前身頃１１の下端部がアウターウェア１の襟ぐり２１から出てしまうことを防止できる。
【００２９】
授乳用インナーウェア１とアウターウェア２とを組み合わせて着用するには、まず、直用しようとする女性は、授乳用インナーウェア１を着用する。次に、アウターウェア２を着用するのみでよい。したがって着用時に特別な配慮を払う必要が無く、日常的に通常の服を着る動作のみで着用することができる。
【００３０】
図３及び図４を参照して、授乳時における授乳用インナーウェア１とアウターウェア２の使用状態を説明する。
【００３１】
授乳時には、乳房を露出させる必要がある。そのためには、まず、アウターウェア２の下側となっている授乳用インナーウェア１の前身頃１１の一部をたくし上げる。詳細には、前身頃１１における側部の一方側をアウターウェア２の襟ぐり２１からたくし上げ、前身頃１１の側部側から乳房を露出させる。前身頃１１におけるスリット１４ａ，１４ｂの上端から下方部分は、スリット１４ａ，１４ｂの上端を起点として後身頃１２から独立して動くことができるので、前身頃１１のみを襟ぐり２１からたくし上げることができる。
【００３２】
このとき、後身頃１２は、身体の背中部分を覆った状態のまま維持される。これは、本実施形態においては、授乳用インナーウェア１は肩部と脇部分で前身頃１１と後身頃１２とが縫着されているため、前身頃１１におけるスリット１４ａ，１４ｂよりも上の部分と後身頃１２とは固定された状態となっているためである。このため、スリット１４ａ，１４ｂよりも上の部分において、肌が露出することがない。
【００３３】
前身頃１１をアウターウェア２の襟ぐり２１からたくし上げると、前身頃１１の側部とアウターウェア２の襟ぐり２１との間から乳房が露出され、乳児に授乳させることが可能になる。
【００３４】
授乳が終了した場合には、アウターウェア２の襟ぐり２１の位置を元に戻し、さらに、たくし上げた前身頃１１を襟ぐり２１の内側に挿入するのみで、元の状態に戻すことができる。これにより、片手で乳児を抱いていたとしても、もう片方の手を使用するのみで容易に授乳の準備から終了後の身繕いまでの一連の動作を行うことができる。
【００３５】
また、使用状態の他の例として、図５及び図６に示すように使用することもできる。すなわち、授乳時において、アウターウェア２の襟ぐり２１から前身頃１１を引き出して使用することができる。そして、引き出した前身頃１１とアウターウェア２の襟ぐり２１との間から乳房を露出させ、授乳することができる。このとき、アウターウェア２から引き出された授乳用インナーウェア１の前身頃１１が乳房を隠してくれるので、授乳時の女性を前方上方から見た状態では、第三者に授乳中の様子を見られることを防止することができる。
【００３６】
本実施形態によれば、授乳用インナーウェア１を着用した状態の上に、アウターウェア２を着用する。このため、授乳用インナーウェア１は、その襟ぐり１５部分がアウターウェア２の襟ぐり２１から見えるのみであるので、いわゆる重ね着をしているような外観を呈する。また、スリット１４ａ，１４ｂは、着用時において身体の横側になるように形成されるので、アウターウェア２を重ね着することにより、スリット１４ａ，１４ｂを外観から隠すことができる。そして、見えるのは授乳用インナーウェア１の襟ぐり１５部分とその周辺のみのため、第三者からはいわゆるおしゃれな重ね着スタイルの服を着用しているようにみえる。このため、着用している女性は、授乳服を着用していることを認識されずに外出することができる。そして、授乳服を着用する際の心理的抵抗感を低減させることができる。
【００３７】
本実施形態によれば、授乳用インナーウェア１は、アウターウェア２に固定される必要がない。これは、授乳用インナーウェア１は、いわゆる衣服として独立した物であるので、アウターウェア２にインナーウェア専用の固定手段を設ける必要がない。したがって、アウターウェア２は、本授乳用インナーウェア１専用のものである必要がない。すなわち、襟ぐりが乳房を露出できる程度に深く形成されたものであれば、任意のアウターウェア２と授乳用インナーウェア１とを組み合わせて使用することができる。授乳服でない普通の服をアウターウェア２として使用することができるので、既存の服を利用するなど経済的な負担を軽くでき、また様々なコーディネートも楽しむことができる。アウターウェアとして使用できるものとしては、例えばカシュクールタイプのワンピースやセーター、襟ぐりが大きく形成されたニット、カットソー、チュニック、ワンピース、セーター等の上衣、また、前あきのボタン留めシャツやシャツ型ワンピース、ブラウス、前あきのカーディガンやジャンパー、パーカー等の上着を挙げることができる。
【００３８】
また、授乳用インナーウェア１は、スリット１４ａ，１４ｂが形成されていれば、襟ぐり１５の形状も任意の形状のものを使用することができる。例えば、襟ぐり部分をタートルネックタイプにしたり、襟を付けてシャツタイプとしたり、ボウタイ状としたり、レースやリボン等も付けることができる。特に、タートルネックタイプにすれば、冬でも首周りを冷やすことなく授乳することができるので好適である。また、授乳用インナーウェア１は、前身頃１１と後身頃１２とを脇下部分のみで縫合し、筒状に形成した、いわゆるベアトップタイプや、筒状に形成したのち、前身頃１１と後身頃１２とを肩を経由した紐で繋いだキャミソールタイプ、前身頃１１から延びた紐を首の後で結ぶボートネックタイプであってもよい。このように、着用時に首周りを覆う部分については、様々なデザインのものを使用することができる。
【００３９】
このため、授乳用インナーウェア１とアウターウェア２との組み合わせにおいて、様々なデザインのものを提供することができ、コーディネートの幅も広げることができる。
【００４０】
本実施形態によれば、授乳用インナーウェア１は下着としても使用することができるので、アウターウェア２と共に購入し、使用したとしても、授乳用インナーウェア１のみを頻繁に洗濯することができる。また、授乳期が終了した場合でも、通常の下着やインナーとして使用することもできる。アウターウェア２においても、授乳口や授乳用のスリットが設けられていないので、通常の衣服として使用することができ、経済的である。
【００４１】
本実施形態では、スリット１４ａ，１４ｂには、何も設けられていないが、例えば、前身頃１１と後身頃１２とを留める留め部として、着脱可能に接合する着脱手段を備えてもよい。具体的には、前身頃１１と後身頃１２とに面ファスナーやスナップボタン等を設け、通常時には前身頃１１と後身頃１２とを固定するようにすることができる。これにより、通常時における保温性が高まる。
【００４２】
着脱手段としては、他にも、ファスナーや、カギフック、トグルとループ等を使用することができる。また、着脱手段は、片手であっても取り外しできるような手段であることが好ましい。
【００４３】
以上、本考案の実施形態について説明したが、本考案は上述した実施形態に限るものではない。また、本考案の実施形態に記載された効果は、本考案から生じる最も好適な効果を列挙したに過ぎず、本考案による効果は、本考案の実施例に記載されたものに限定されるものではない。
【図面の簡単な説明】
【００４４】
【図１】本考案の実施形態に係る授乳用インナーウェアを示す全体図である。
【図２】本考案の実施形態に係る授乳用インナーウェアとアウターウェアとを組み合わせた場合の正面図である。
【図３】本考案の実施形態に係る授乳時における授乳用インナーウェアとアウターウェアの使用状態を示した図である。
【図４】本考案の実施形態に係る授乳時における授乳用インナーウェアとアウターウェアの使用状態を示した図である。
【図５】本考案の実施形態に係る授乳時における授乳用インナーウェアとアウターウェアの使用状態を示した図である。
【図６】本考案の実施形態に係る授乳時における授乳用インナーウェアとアウターウェアの使用状態を示した図である。
【符号の説明】
【００４５】
１    授乳用インナーウェア
２    アウターウェア
１１  前身頃
１２  後身頃
１３ａ，１３ｂ  袖口
１４ａ，１４ｂ  スリット
１５  襟ぐり
１６ａ，１６ｂ  縫着部
２１  襟ぐり
【図１】
0003148457.tif 000003
【図２】
0003148457.tif 000004
【図３】
0003148457.tif 000005
【図４】
0003148457.tif 000006
【図５】
0003148457.tif 000007
【図６】
0003148457.tif 000008